(57)【特許請求の範囲】
【請求項１】
患者により吸引されるべき薬剤を保持するための薬剤容器であって、
ランセットにより容易に突き通される可撓性材料から形成された上部層と、
前記上部層の下方に配置され、且つ、薬剤を収容するため少なくとも１つのリセプタクルが形成されている、略剛性の下部層と、
を含み、
前記薬剤容器は、前記上部層及び前記下部層の間に配置された中間層を更に含み、
前記中間層は、前記上部層と、前記下部層に形成されたリセプタクルとの間に配置される突起部を備える、薬剤容器。
【請求項２】
前記リセプタクルは、前記上部層により閉じられた略長方形の開口を有する、請求項１に記載の薬剤容器。
【請求項３】
前記少なくとも１つのリセプタクルは、前記下部層に形成された複数のリセプタクルである、請求項１に記載の薬剤容器。
【請求項４】
前記下部層は、複数のリセプタクルが形成されたディスクを画成する、請求項３に記載の薬剤容器。
【請求項５】
前記下部層は、複数のリセプタクルが直線状列に形成された、略長方形のプラスチック片から形成される、請求項４に記載の薬剤容器。
【請求項６】
前記リセプタクルは略三角形状の断面を有し、前記下部層は、使用の間、該リセプタクルの略三角形状の断面を維持するのに十分な剛性を持つ、請求項１に記載の薬剤容器。
【請求項７】
前記リセプタクルは略台形状の断面を有し、前記下部層は、使用の間、該リセプタクルの略台形状の断面を維持するのに十分な剛性を持つ、請求項１に記載の薬剤容器。
【請求項８】
前記リセプタクルは略半円形状の断面を有し、前記下部層は、使用の間、該リセプタクルの略半円形状の断面を維持するのに十分な剛性を持つ、請求項１に記載の薬剤容器。
【請求項９】
前記中間層は、略剛体である、請求項１に記載の薬剤容器。
【請求項１０】
前記薬剤容器は、前記上部層及び前記下部層の間に配置された薬剤運搬トレイを更に含む、請求項１に記載の薬剤容器。
【請求項１１】
前記薬剤運搬トレイは、前記中間層及び前記下部層の間に配置されている、請求項１０に記載の薬剤容器。
【請求項１２】
前記上部層、前記中間層及び前記薬剤運搬トレイは、互いに連結されている、請求項１０に記載の薬剤容器。
【請求項１３】
前記薬剤運搬トレイは、薬剤を収容するため形成された複数のリセプタクルを備える、請求項１に記載の薬剤容器。
【請求項１４】
前記突起部は、前記リセプタクル内へと下方に延在する、請求項１に記載の薬剤容器。
【請求項１５】
前記突起部は下側表面を有し、前記下部層は前記リセプタクルを画成する上側表面を有し、前記突起部の下側表面と、前記下部層の上側表面とは略平行である、請求項１４に記載の薬剤容器。
【請求項１６】
薬剤封じ込め領域／流れチャンネルが、前記薬剤容器中の、前記下部層及び前記突起部の間に形成される、請求項１に記載の薬剤容器。
【請求項１７】
前記薬剤封じ込め領域／流れチャンネルは、略屈曲部形状である、請求項１６に記載の薬剤容器。
【請求項１８】
前記中間層は、互いに間隔を隔てられた、第１の開口及び第２の開口を有し、該第１の開口及び第２の開口は、前記上部層と前記下部層のリセプタクルとの間に配置されている、請求項１に記載の薬剤容器。
【請求項１９】
前記第１の開口及び第２の開口のうち少なくとも１つは、角度を付けられた側壁により画成される、請求項１８に記載の薬剤容器。
【請求項２０】
前記第１の開口及び第２の開口の各々は、角度を付けられた側壁により画成され、該第１の開口及び第２の開口の角度を付けられた側壁は、互いに反対側に配置されている、請求項１８に記載の薬剤容器。
【請求項２１】
前記薬剤容器は、前記上部層と前記下部層との間に配置された薬剤運搬トレイを更に含む、請求項１に記載の薬剤容器。
【請求項２２】
前記薬剤運搬トレイは、前記下部層のリセプタクルに入れ子式に重ね合わせるように構成された、複数のリセプタクルを備える、請求項２１に記載の薬剤容器。
【請求項２３】
前記上部層は前記薬剤運搬トレイに取り付けられており、該上部層及び該薬剤運搬トレイは前記下部層から取り外し可能である、請求項２１に記載の薬剤容器。
【請求項２４】
前記薬剤容器は、第１の開口及び第２の開口を更に含み、該第１及び第２の開口は前記突起部の両側に配置されている、請求項１に記載の薬剤容器。
【請求項２５】
前記中間層は、前記突起部を形成し、且つ、前記第１及び第２の開口が形成されている、請求項２４に記載の薬剤容器。
【請求項２６】
前記第１及び第２の開口のうち少なくとも１つが、角度を付けられた壁により部分的に画成されている、請求項２４に記載の薬剤容器。
【請求項２７】
前記第１及び第２の開口は、角度を付けられた壁により部分的に画成されており、該角度を付けられた壁は互いに反対側に配置されている、請求項２６に記載の薬剤容器。
【発明の詳細な説明】
【０００１】
【発明の属する技術分野】
本発明は、改善された薬物吸入器に関する。より詳しくは、本発明は、肺内への薬物の適切な沈着を容易にするため、喘息患者等により使用可能な改善された乾燥粉末薬物容器に関する。乾燥粉末薬物吸入器は、薬剤にアクセスし、ユーザーの肺への薬剤の供給を改善するための新規な突き通し機構及び流れ構成を使用する。
【０００２】
【従来技術】
気管支喘息及び他の呼吸器系疾患の広範囲に亘る存在は、多数の薬剤の開発を惹起してきた。これらの薬剤は、制限された呼吸通路を開放し、或いは他の仕方でユーザーがより容易に呼吸することを可能にするべく使用することができる。時折の若しくはより小さいアタックのみを被る喘息患者がいるが、それ以外の患者にとっては、多数の呼吸は、適切な薬剤の頻繁な使用によってのみ可能とされるある種の戦いとなる。これらの薬剤は、薬剤の型式及びユーザーにより直面された特定の問題に依存して、乾燥若しくは液体のいずれかの形態にあり得る。
【０００３】
本質的に２つの型式の吸入装置が存在しており、これらは、肺に投与される医薬の管理のための市場で現在市販されている。広く行き渡っている吸入装置は、加圧された計量化服用量吸入器（ＭＤＩ）であり、該吸入器は、圧縮不活性液化ガス、例えば、クロロフルオロカーボン（ＣＦＣｓ）又はハイドロフルオロカーボン（ＨＦＣｓ）内で支持された医薬を含んでいる。ＭＤＩｓは当該技術分野で周知されており、一般に使用されている。
【０００４】
これらの圧縮不活性ベースの吸入装置は、煙霧質キャニスターから所定の服用量の薬剤を首尾良く配給するという利点を有する。しかしながら、薬粒子は、典型的には、吸入装置から高速度で推進される。かなりの量の薬剤が、患者の口又は咽喉内の組織に衝撃を与え、肺内への沈着物として利用できなくなる。更には、大気中のオゾンの減少及びクロロフルオロカーボンの圧縮不活性ガスの間の連関についての懸念の増大は、乾燥粉末吸入装置の開発を始めとする、肺に薬剤を配給する代替手段の開発に注意を向けさせた。
【０００５】
乾燥粉末吸入器は、第２の主要型式の吸入装置を表している。出願人が知っており且つ市場に存在している乾燥粉末吸入器は、乾燥粉末薬を肺に輸送するための伝達手段として患者の吸気を利用する。吸入の間に医薬が肺内に搬送されるので、口及び咽喉の内壁への薬剤の損失が少なくなる。加えて、患者の吸入を使用することは、しばしば最も必要とされる肺内の深いところに到達する薬剤の量を増大させる。
【０００６】
現在のところ、クロロフルオロカーボン又は他の圧縮不活性ガスを使用することなく細かい微粒子粉末を肺に提供するため使用する基本的な方法が４つ存在する。１つの共通した方法は、予め測定された服用量の治療活性材料及びカプセルを用いて使用するための吸入装置を含む、ハードゼラチンカプセルの使用に頼っている。このカプセルは、該カプセルを開放し又は孔開けして該服用量の薬剤をさらすことに役立つ、吸入装置内に配置されている。この薬剤は、患者が該装置のマウスピースを通して吸引するとき形成される真空作用によって該カプセルから取り出され、患者の肺への輸送のため吸い込まれた空気流れ内に乗って運ばれる。空のカプセルは、各々の使用後に吸入装置から着脱される。
【０００７】
この型式のカプセル技術を使用した吸入器は、米国特許番号３，８０７，４００（ココッツア）、３，９０６，９５０（ココッツア）、３，９９１，７６１（ココッツア）及び４，０１３，９７５（ココッツア）に記載されている。これらの装置の各々の意図は、カプセル内部から粉末化薬剤の全てを除去することである。しかしながら、患者により発生された空気流れは、典型的には、カプセルからの薬剤の完全な除去を達成するには不十分であることが見出された。このことは、特に、喘息に起因して吸引能力が低下した患者にとって真実であり得る。
【０００８】
加えて、ゲラチンカプセルは、貯蔵の間の相対湿度により影響され、湿気のある環境では水和されるようになる。水和化は、カプセルの開放能力を低下させ、粉末内容物の凝塊形成を生じさせる。乾燥した気候では、当該カプセルは、脱水化され、該カプセルの壊れやすいひび割れを生じさせ、カプセル表面の薬剤の静電気的吸引に起因して、吸引可能な細かいゲラチン破片を作り出し又は妥協した服用になる可能性がある。
【０００９】
乾燥粉末薬剤の配給の第２の方法は、各々が密封されたブリスター内に含まれる多数回に亘る服用量の薬剤を含んだパッケージを提供することに頼っている。本パッケージは、その内容物の吸引前に、個々のブリスターのパッケージ及び穿孔のための装着手段が設けられた特別に設計された吸引装置と結合して使用される。この型式の配給システムは、ＥＰＯ特許出願公報Ｎｏ．０２１１５９５Ａ２（ニューエルら）、ＥＰＯ特許出願公報Ｎｏ．０４５５４６３Ａ１（ブェラスクエズら）、及び、ＥＰＯ特許出願公報Ｎｏ．０４６７１７２Ａ１（ココッツアら）に記載されている。患者が吸引するとき、吸引された空気流れの一部分は、穿孔ブリスターを通って連続的に流れ、薬剤を流れに乗せて運び且つ吸気内に薬剤を包含させる。患者の吸気流れへの薬剤の配給は、薬剤を取り出す上で十分な流れがブリスターを通って発展するとき開始する。患者への薬剤の配給時刻又は配給率を制御する手段は設けられていない。
【００１０】
乾燥粉末薬剤の配給のための第３の方法は、遙かに多数の服用にとって十分な薬剤を含むドラッグリザーバーを備え付けた装置の使用を含んでいる。ドラコタービュホーラー（Draco TURBUHALER；商標名）は、この型式の装置の一例であり、米国特許Ｎｏ．４，６８８，２１８（ヴァータネン）、米国特許Ｎｏ．４，６６７，６６８（ヴァータネン）、米国特許Ｎｏ．４，６６７，６６８（ヴェターレン）及び米国特許Ｎｏ．４，８０５，８１１（ヴェターレン）に詳細に記載されている。本装置は、ある服用量の薬剤をリザーバーから引き出し、引き出された服用量の薬剤を患者による吸引用に与えるための手段を提供する。患者が本装置のマウスピースを吸引するとき、服用プレート内の穿孔にある薬剤は、吸気の流れに乗って運ばれ、１つ又は複数の導管を通って流れる。これらの導管は、薬剤が患者にとって利用可能となる前に粉末塊を壊すための渦形成手段として機能する。リザーバー内への湿気の進入は、粉末内容物の凝塊形成を生じさせ、服用プレート内の穿孔に粉末を保持することに起因して服用を妥協させる。
【００１１】
乾燥粉末薬剤の配給の第４の方法は、粉末化薬剤を流れに乗せるか、キャリアスクリーンからの薬剤を、該スクリーンに空気を通過させることにより持ち上げるか、或いは、該装置のマウスピースを通して患者に粉末を引き続いて導入した状態で混合チャンバー内で粉末薬剤と空気とを混合させることのいずれかのために、空気を提供するピストンの使用を含んでいる。この一般的な型式の装置は、ＰＣＴ  ＷＯ９３／１２８３１（ジーレンベルグら）、ドイツ特許Ｎｏ．ＤＥ４１１３３２７４Ａ１（クーネルら）、ドイツ特許Ｎｏ．ＤＥ４０２０５７１Ａ１（ホコレイナーら）及び米国特許番号５，３８８，５７２（ムルホウザーら）に記載されている。ピストンシステムの組み込みは、各々の場合において、患者による使用の観点及び装置の製造能力の観点の両方において、吸引装置の複雑さを追加する。
【００１２】
乾燥粉末吸引器の最近の改善は、「薬剤の配給をトリガーするための吸引作動型の流れ配給手段を有する乾燥粉末薬剤吸引器」という標題の米国特許Ｎｏ．５，９８８，１６３号に含まれている。この文献で開示された吸引器は、薬剤の肺への深い浸透を増大させ、凝塊形成を減少させる、構成を利用している。
【００１３】
乾燥粉末吸引器において、かなりの進歩が最近の十年間に亘ってなされたが、まだかなりの改善の余地がある。例えば、ブリスターパックを使用する多数の形態において、薬剤は、空気流れがブリスターパックの頂部に入り、該薬剤を乗せて流れながら底部を通って出てくるように、該ブリスターパックを貫通してランセットを前進させることによりアクセスされる。しかし、そのような形態は、幾つかの顕著な欠点を有する。
【００１４】
第１に、ブリスターパックがランセットにより突き通されたとき、フォイルが薬剤を包み込み又はその一部分を包み込む態様でランセットの通り道から該フォイルが押し出されることは、珍しくないからである。ブリスターパックの歪曲された部分は、しばしば、薬剤の一部分が空気流れ内に乗って運ばれることを防止し、かくして、患者に到達する薬剤の量を減少させる。
【００１５】
第２には、ランセットをブリスターパックを通して進めることは、薬剤が落ちることのできる開口を残すことになる。薬剤が吸気流れチャンネルの一部分内に落ち、該薬剤が一旦ユーザーが吸引するとき適切に配給されるときは、通常では、このことは、問題を与えない。しかし、ランセットが図らずも作動されるか又はユーザーが該ランセットが既に作動されたということを忘れた場合には、薬剤が吸気流れチャンネル内に残っている間に、ブリスターパックは、次のブリスターをランセットの下方に配置するため前進される。一旦、ランセットが再び作動され、ユーザーが吸引すると、該ユーザーは、２倍の服用量の薬剤を受け取ることになる。（子供が吸引器を用いて遊び、ブリスターパックを繰り返し前進させ突き通すと、吸引器の吸引チャンネル内には非常に大量の服用量の薬剤が残されるおそれがあると考えられる）。喘息薬の中には、図らずも２倍の服用量を供給することは、望ましくなく、患者に危険である可能性がある。
【００１６】
かくして、改善された薬剤容器の必要性、並びに、該容器を作動させる方法及び機構に対する必要性が存在している。この容器及び吸引器は、薬剤が適切に肺中に配られることを確実にするように薬剤流れを制御する。そのような装置は、好ましくは、吸気流れ内に薬剤を解放し、ブリスターパック内に治療上かなりの量の薬剤を置き去りにすることを回避する。そのような構成は同時的服用又は多重服用をも禁止するようにするべきである。そのような構成は、比較的安価で使用に便利であるべきである。
【００１７】
【発明が解決しようとする課題】
本発明の目的は、肺への薬剤の分配を最大にするため薬剤の流れを改善する乾燥粉末薬剤の管理のための薬剤容器を提供することである。該薬剤は、純粋な薬粒子であっても、或いは、例えばラクトース等のキャリア粒子に乗せられた薬粒子であってもよい。
【００１８】
本発明の別の目的は、多数回に亘る服用能力、及び／又は、便利に再積載される能力を有する、使用するのが容易であるような薬剤容器を提供することである。
【００１９】
本発明の別の目的は、薬剤が吸気に乗って運搬されるまで容器内部に薬剤を保持するような、該薬剤容器を提供することである。
本発明の更に別の目的は、吸気中の薬剤の運搬流れを改善する容器から薬剤を取り出すための方法を提供することである。
【００２０】
本発明のなお更なる目的は、機能的に簡素で比較的安価であるような薬剤容器を提供することである。
本発明の更に別の目的は、吸気中の薬剤の運搬流れを改善するため薬剤容器と相互作用する吸引器を提供することである。
【００２１】
本発明の上記及び他の目的は、薬剤容器の特有に図示された実施形態で理解される。この薬剤容器は、空気中の薬剤の運搬流れを改善し、肺中への薬剤の沈着を向上させるため、同じ側での空気流入及び空気流出を提供するように突き通される。
【００２２】
【課題を解決するための手段】
本発明の一態様によれば、薬剤容器には、上側表面及び下側表面が備えられる。上側表面は、略平面状であり、ランセット機構により容易に突き通され、変形され得る、フォイル、プラスチック又はそれらと類似の材料から形成される。薬剤容器の反対側の下側表面は、薬剤を含むブリスターを形成するように凹んでいる。好ましくは、下側表面は、突き通し、潰れ又は他の損傷に耐えられる、例えば、アクラー（Aclar）又はポリカーボネート等のもっと剛性の材料から形成されるのがよい。
【００２３】
本発明の方法によれば、ランセットにより上側表面に沿って両側面側に孔が形成される。吸気は、上側表面の一つの孔を通って運ばれ、薬剤と接触し、そして、反対側の孔から出て行く。本発明の原理によれば、そのような流れ構成は、薬剤の運搬流れ及び薬剤のユーザーの肺への分配を改善する。そのような構成は、吸引器が使用中に傾いたり、又は、ぶつかったりする場合でも薬剤の損失を防止する上で役立つ。
【００２４】
本発明の別の態様によれば、流れ逸れ器が、上部層及び下部層により形成されたブリスター内部に配置される。流れ逸れ手段は、所望の流れパターンに吸気を流すことを援助する。好ましくは、流れ逸れ手段は、比較的剛性の材料、例えばポリカーボネート等から形成され、上部層に隣接して配置されるのがよい。流れ逸れ手段は、薬剤のための略屈曲部形状のチャンネルを形成して該薬剤が該屈曲部の曲がり部分に集中するようにするため、好ましくは下部層において凹んだ曲面に略平行に走っていく凹んだ態様で下方に延在する。
【００２５】
ランセットは、使用中には、屈曲部形状チャンネルの両端部に孔を形成する。ユーザーが吸引するとき、吸気は、チャンネルの一方の端部でブリスターに流入し、屈曲部形状のチャンネルに従って流れ、薬剤を乗せて運搬し、屈曲部形状のチャンネルの反対側端部を通って流出する。本発明によれば、そのような構成は薬剤運搬流れを改善し、ブリスターに保持される治療材料の量を減少させる。
【００２６】
本発明の別の態様によれば、薬剤容器は、少なくとも、上部層、下部層及び運搬トレイから形成される。薬剤容器の下部層は、ポリビニール塩化物（ＰＶＣ）、ポリビニール二塩化物（ＰｖｄＣ）、又は、フッ素化された、及び／又は、塩素化された、ホモポリマー／コポリマー（Ａｃｌａｒ）等の半剛性材料から形成される。これに対して、運搬トレイは、より剛性の材料、例えばポリカーボネート等から形成される。下部層は、運搬トレイと嵌合する構造部を備えて形成される。かくして、先頭の薬剤トレイを、形成することができ、それから耐久性を追加するため運搬トレイ内に入れ子式に重ね合わせることができる。
【００２７】
本発明の更に別の態様によれば、ランセットの作動は、該ランセットを薬剤容器の上側表面と係合させ、吸気の入口及び出口開口を形成するようにフォイルを突き通させる。ランセットがフォイル等を突き通したとき、該フォイルは、下部層の上側表面に対して押し付けられ、これにより、フォイル等を折り畳んで、該フォイルが薬剤の流れを妨害しないように流れ経路から外される。
【００２８】
本発明のなお別の実施形態によれば、密封部材は薬剤容器に隣接して配置される。密封部材は、吸気が所望の経路に従って流れるように、容器に入る空気流れ及び容器から出る空気流れを調整することを援助する。密封部材は、フォイルを経路外に上側表面に押し付けるランセットと組み合わせて使用されるとき、上側表面の上方に延在するフォイルの断片と遭遇すること無しに、必要とあらば上側表面に沿って移動することができる。
【００２９】
本発明の更に別の態様によれば、ランセットの一部分は、吸気流れチャンネルの一部分を画成する。該ランセットは、所望の薬剤流れパターンを提供するため、所望の経路に沿って吸気を差し向けることを援助する。
【００３０】
一実施形態では、ランセットは、２つのプロングを有し、各々の下側端部は、斜めに切られている。薬剤容器の上側表面を突き通すため、ランセットは、各プロングの斜めに切られた部分が容器を突き通すまで前進させられる。ランセットは、斜めに切られた端部が吸気流入空気チャンネル及び／又は吸気流出空気チャンネルの部分を形成するように引っ込められることを可能にされる。
【００３１】
本発明の更に別の態様によれば、ランセットのプロングの各々は、部分的に中空であり、流れに対して所望の抵抗を提供する間に空気流れが該中空部を通過することを可能にするように構成される。プロングを通る空気流れは、該プロングが薬剤容器の上側表面を突き通すまで、防止される。一旦、各プロングの下側端部が薬剤容器中にあるようになると、吸気の流れが可能とされ、薬剤が該流れに乗って運搬される。
【００３２】
本発明のなお更に別の態様によれば、薬剤容器の上側表面の流入孔及び流出孔の形成は、ランセットがブリスターのフォイル上部層のみを突き通さなければならないことに起因して少ない労力で済むため、薬剤容器の突き通しを容易にする。
【００３３】
本発明の上記及び他の目的、特徴並びに利点は、添付図面を参照して以下の詳細な説明を斟酌することにより明らかとなろう。
【００３４】
【発明の実施の形態】
以下、図面を参照する。これらの図面では、本発明の様々な構成要素が参照番号で与えられ、当業者が本発明を構成し使用することが可能となるように本発明が論じられる。次の説明は、本発明の原理の単なる例示であり、現在係争中の請求の範囲を狭めるものとみなすべきではない。
【００３５】
図１Ａを参照すると、本発明の原理に従って作られた、全体として１００で示された薬剤容器の上面分解図が示されている。薬剤容器１００は、上部層１０４、中間層１０８及び下部層１１２を備えている。本発明の原理の１つの好ましい応用では、３つの層１０４、１０８及び１１２が、薬剤の貯蔵及び分配に関して改善された制御を提供する単一の容器を形成するように一緒に結合される。
【００３６】
薬剤容器１００の上部層１０４は、容易に孔を開けることのできる略平坦な材料により形成される。現在のところ好ましい実施形態では、上部層は、ディスク１１６を形成する１片のフォイルにより形成される。ブリスターパック用にフォイルを使用することは、当業者に周知されており、幾つかの型式のフォイルが容易に利用可能とされている。例えばプラスチック又はペーパー等の他の容易に孔開け可能な材料も使用することができる。
【００３７】
上部層１０４を形成するディスク１１６は、その内部に形成された中央開口１２０を有する。以下に追加して詳細に説明されるように、該開口は、図５Ａ乃至６Ｃに関して以下に説明されるもの等の薬剤分配ハウジングで使用する間に薬剤容器１００の支持及び回転を容易にするため、設けられる。
【００３８】
ディスク１１６内で配置されたものは、互いに反対の両側に配置された２つの開口１２４である。該２つの開口は、薬剤容器を一緒に保持させ、且つ、適切な整列を確実にさせるため下部層１１２からの嵌合構造部（後述する）を受け取る。
【００３９】
頂部表面１０４に配置されているものは、略円状パターンに配置された複数の開口１２８である。該開口は、中間層１０８の部分と整列し、薬剤分配ハウジングの一実施形態と連係した指標及び位置決め手段として使用される。
【００４０】
中間層１０８も、開口１３６を画成するディスク１３２により形成される。図１Ａに示されるように、開口１３６を画成するディスク１３２の内側壁１３２ａは、複数のノッチ１４０が形成される。これらのノッチ１４０は吸入ハウジング（図示せず）の回転機構と係合するように形成され、各々が使用された後に薬剤を吸気流れチャンネル（図示せず）と整列させるため薬剤容器１００を回転することができるようにする。
【００４１】
中間層を形成するディスク１３２は、一対の開口１４４を有しており、これらの開口は互いに反対の両側に配置され、且つ、上部層１０４のディスク１１６内の開口１２４と整列している。開口１４４は、開口１２４と共に、中間層１０８を整列させて該中間層を適所に保持させるため下部層１１２上の嵌合構造部１６２を受け入れる。
【００４２】
ディスク１３２で配置されているものは、略円状の配列に配置されている複数の開口１４８である。開口１４８は、上部層１０４のディスク１１６の開口１２８と整列するように形成されている。これらの開口は、薬剤分配ハウジング（図示せず）の一実施形態に係る指標及び位置決め手段と薬剤容器１００を整列させるため使用される。開口１２８及び１４８が好ましいが、当業者ならば、それらは、薬剤容器１００の作用を有意に損なうことなく省略することができることを認めるであろう。
【００４３】
中間層１０８を画成するディスク１３２に配置されているのは、同心円状に配置された複数の開口１５２である。開口１５２は、略正方形又は長方形であり、横断角度でディスク１３２を貫通して延在する。以下で更に後述されるように、開口１５２は、使用中に上部層１０４に孔開けするランセットの部分を受け入れるように形成されている。開口１５２の横断角度は、薬剤容器１００内に入る空気流れ及び該薬剤容器から出た空気流れを導くことを援助し、該空気流れに含まれる薬剤の流れ同調を改善する。
【００４４】
開口１５２の同心円の間のディスク１３２の部分は、上部層を孔開けするランセットにより形成された開口が局所化されるように、フォイル又は上部層１０４の他の材料を支持する。ランセット機構の詳しい説明は、図３Ａ及び図３Ｂを参照して以下に与えられる。
【００４５】
使用中には、上部層１０４を画成するディスク１１６及び中間層１０８を画成するディスク１３２は、下部層１１２を画成するディスク１５６に取り付けられる。図１Ｄ及び図１Ｅについて詳細に説明されるように、図１Ａ乃至図１Ｃにおいて下部層を形成するディスク１５６は、運搬トレイも形成する。これは、ディスク１５６が、薬剤容器１００内に含まれる薬剤を保護するため、実質的な剛体材料、例えばポリカーボネートから作られるのが好ましいという事実に起因している。
【００４６】
上部層１０４及び中間層１０８と共に、下部層１１２のディスク１５６は開口１６０を画成する。開口１６０は、それが吸引器の回転作動機構及びノッチ１４０の間の係合を妨害しないように中間層１０８内の開口１３６より僅かに大きいのが好ましい。
【００４７】
ディスク１５６から上方に延在しているのは、一対の嵌合構造部１６２である。嵌合構造部１６２は、上部層及び中間層を下部層１１２に整列させるため、上部層１０４の開口１２４及び中間層１０８の開口１４４に嵌合される。嵌合構造部１６２は、上部層１０４及び中間層１０８を保持させるためにも使用することができる。
【００４８】
下部層１１２を画成するディスク１５６は、その内部に形成された複数の凹状リセプタクル１６４を有する。図１Ａに示されるように、リセプタクル１６４は、下部層１１２の頂部に接した略長方形の開口１６８を有するのが好ましい。リセプタクル１６４は、該リセプタクルが略三角形断面を有するように長方形開口１６８から下方及び内側に延在する。リセプタクル１６４の略三角形断面は、薬剤を、ランセット機構により該リセプタクルの開口と干渉しそうもないリセプタクルの底部に収集させる。
【００４９】
ブリスターパックと称される従来の薬剤容器に関しては、上部層及び下部層の両方は、ランセットが両層を突き通すことができるようにフォイルから形成されることが常識である。両層を貫通して突き通すことは、上側空気流入開口及びブリスターパックを出るため空気に乗って運ばれる薬剤のための下側開口を形成する。そのような構成の欠点は、従来技術の欄で上述された。
【００５０】
本発明では、空気流入開口及び空気流出開口の両方が、薬剤容器１００の上部層１０４で形成される。下部層１１２を突き通すことが必要でないので、下部層は、フォイル、ペーパー等より遙かに耐久性のある材料から形成することができる。下部層１１２のディスク１５６（及び中間層１０８を画成するディスク１３２）は、使用される薬剤と適合性のあるプラスチックから作られるのが好ましい。かくして、例えば、下部層１１２は、ポリカーボネート、ポリプロピレン、ポリウレタン又は他の容易に成形可能なプラスチックから作られてもよい。下部層１１２は、それがランセット機構により突き通されないので、比較的剛性を持っていてもよい。
【００５１】
比較的剛性の下部層１１２の使用は、幾つかの顕著な利点を持っている。第１に、この剛性は、薬剤容器１００が、輸送又は不適切な操作の間に損傷を受けることから保護することを援助する。第２に、リセプタクルを剛性底部で形成させることは、その中に含まれる薬剤が、上方に押されて容器の上部層と接触した状態に至ることを防止させる。
【００５２】
従来のブリスターパックでは、ブリスターの底部に圧力を印加することは、薬剤を、上部層及び下部層の間で圧縮させる可能性がある。ランセットがブリスターを突き通すとき、突き通されたフォイルの部品は、薬剤と係合して、ブリスターを通過する空気流れ内に薬剤が乗って運ばれることを妨害するおそれがある。薬剤も圧縮され、薬剤粒子の凝塊形成のリスクを増大させる。
【００５３】
これとは対照的に、下部層１１２のほぼ剛性の三角形断面リセプタクル１６４は、薬剤を受け取り、該薬剤を上部層１０４から離れた状態に維持する。上部層１０４のフォイル、ペーパー等が突き通されたとき、薬剤は上部層から十分に離れており、フォイル等が空気流れ及び薬剤の流れ運搬にほとんど何の影響を与えない。
【００５４】
図１Ｂを参照すると、上部層１０４、中間層１０８及び下部層１１２を含んでいる、図１Ａに示された薬剤容器１００の下面分解図が示されている。
上部層１０４の図は、それが同じ構造物の下側であるという点を除いて図１Ａに示されたものと少ししか異ならない。かくして、上部層は、図１Ａで使用された参照番号付与に従って参照番号が付与される。
【００５５】
これとは対照的に、中間層１０８の下面図は、図１Ａに示されたものと実質的に異なっている。この下面図は、孔１３６、嵌合構造１６２を受け取るための開口１４４、及び、ランセット（図示せず）を受け取るための開口１５２を画成するディスク１３２を示しているが、それは複数の突起部１７２も備えている。
【００５６】
突起部１７２は、開口１７２により画成される、外側及び内側同心円の間に配置されている。突起部１７２は、中間層１０８が下部層１１２に取り付けられたとき、該突起部がリセプタクル１６４の方に下側に延在するように三角形断面を有するのが好ましい。しかし、突起部１７２は、リセプタクル１６４より小さく且つ浅い方が好ましい。以下に更に後述されるように、突起部１７２は、吸気空気における薬剤流れ運搬を改善するため流れ分配手段として機能する。
【００５７】
図１Ｂは、リセプタクル１６４を形成する下側延在壁１６４ａを備える、下部層１１２の底部を示している。リセプタクルの損傷への剛性及び抵抗を強化するため、支持壁１７４は、リセプタクルを画成する壁１６４ａの間に延在してもよい。更なる支持を追加するため、下部層１１２は、その周囲の回りに配置された外側環状カラー１８０と、開口１６０を取り巻く内側環状カラー１８４と、を持っていてもよい。
【００５８】
そのような支持構造を用いると、下部層１１２は、非常な軽量及び損傷に対する耐性の両方を持つ剛性又は半剛性の薄いシートのプラスチックから形成することができる。
【００５９】
図１Ｃでは、下部層１１２と、略三角形断面を備える薬剤保持室を設けるように開口１６８から下側及び内側に延在するリセプタクル１６４との上面図が示されている。中間層及び上部層を固定し整列させるため嵌合構造１６２が使用されるが、そのような構造は、吸引器内部に薬剤容器１００を配位させるためにも使用することができる。同様に、溝１８８は、薬剤容器の配位を提供するため開口１６０を取り囲む環状壁１８４内に形成することができる。
【００６０】
薬剤容器は、上部層１０４、中間層１０８及び下部層１１２を備えるのが好ましい。薬剤容器１００が中間層１０８を省略することができ、それでも従来技術に勝る態様で機能すると共に、中間層及びその内部に形成された構造部は、薬剤の流れ運搬及び患者への分配を改善する。
ここで、図１Ｄを参照すると、全体として１００’で示され、本発明の原理に従って作られた、薬剤容器の代替実施形態の分解図が示されている。薬剤容器１００’は、上部層を備えており、該上部層は、図１Ａ乃至図１Ｃの上部層１０４と同じ態様で構成されるのが好ましく、そのため、これに従って番号付けされている。
【００６１】
上部層１０４に通常取り付けられているものは、薬剤運搬トレイ１８６である。薬剤運搬トレイ１８６は、例えば、ポリビニール塩化物（ＰＶＣ）、ポリビニール二塩化物（ＰｖｄＣ）、又は、フッ素化された、及び／又は、塩素化された、ホモポリマー／コポリマー（Ａｃｌａｒ）等の半剛性材料から形成されるのが好ましい。
【００６２】
薬剤運搬トレイ１８６は、中央開口１９０を備えたディスク１８８から形成される。薬剤運搬トレイ層１８６は、粉末化薬剤が上部層１０４及び薬剤運搬トレイ１８６の間に保持されるように、薬剤を受け取るための開口の回りに同心に配置された、複数の凹状リセプタクルを有する。
【００６３】
リセプタクル１９２は、丸みを帯びた底部を備えた略三角形断面と、薬剤運搬トレイ１８６の頂部に隣接した略長方形開口１９４と、を有するのが好ましく、そうでなければ、図１Ａ乃至図１Ｃで説明されたリセプタクル１６４と類似していてもよい。薬剤運搬トレイ１８６は、運搬トレイの嵌合構造部を受け入れるための一対の孔１９６を備えていてもよい。
【００６４】
薬剤運搬トレイ１８６の下方に配置されているものは、図１Ｄに示されたように、図１Ａ乃至図１Ｃで説明されたディスク１５６により形成される下部層である。ディスク１５６のリセプタクル１６４は、上部層１０４及び薬剤運搬トレイを下部層１１２にしっかりと保持することができるように、薬剤運搬トレイ１８６のリセプタクル１９２を入れ子式に受け入れるようにサイズが定められているのが好ましい。
【００６５】
剛性下部層１１２に結合された半剛性運搬トレイ１８６を薬剤容器に提供することによって、剛性下部層を有することで上述した利点の全てを達成すると共に、薬剤容器１００’の製造を容易にする。
【００６６】
当業者は、上部層１０４が通常では薬剤運搬トレイ１８６に取り付けられるが、上部層及び薬剤運搬トレイは下部層に動かないように取り付けられる必要はないことを認めるであろう。かくして、例えば、上部層及び薬剤運搬トレイを、薬剤運搬器のハウジング内に永久的に取り付けることができる合成下部層１１２に取り外し可能に配置することができる。そのような構成では、ユーザーは、薬剤運搬トレイに含まれる薬剤が使い果たされる毎に、上部層１０４及び薬剤運搬トレイ１８６の組み合わせを入れ替えるだけで済む。
【００６７】
ここで、図１Ｅを参照すると、本発明の原理に従って作られた、全体として１００”で指し示された、薬剤容器の更に別の実施形態が示されている。薬剤容器１００”は、図１Ａ乃至図１Ｃの上部層１０４と同じ態様で構成されるのが好ましく、そのため、これに従って番号付けされた上部層を備える。
【００６８】
上部層１０４に隣接して配置されたとき、薬剤容器１００”は、図１Ａ乃至図１Ｃの中間層１０８と同じ態様で構成されるのが好ましく、そのため、これに従って番号付けされた中間層を備える。
【００６９】
上部層１０４及び中間層１０８に通常取り付けられるものは、薬剤運搬トレイである。薬剤運搬トレイは、図１Ｄの薬剤運搬トレイ１８６と類似した態様で構成されるのが好ましく、そのため、これに従って番号付けされる。図１Ｄの実施形態と共に、薬剤運搬トレイ１８６は、例えば、ポリビニール塩化物（ＰＶＣ）、ポリビニール二塩化物（ＰｖｄＣ）、又は、フッ素化された及び／又は塩素化されたホモポリマー／コポリマー（Ａｃｌａｒ）等の半剛性材料から形成され、内部に形成された複数の凹状リセプタクル１９２を有するのが好ましい。
【００７０】
薬剤運搬トレイ１８６の下方に配置されているものは下部層１１２であり、これは、図１Ｅに示されるように、図１Ａ乃至図１Ｄで説明されたディスク１５６により形成される。ディスク１５６のリセプタクル１６４は、上部層１０４、中間層１０８及び薬剤運搬トレイを、下部層１１２を形成するディスク１５６にしっかりと取り付けることができるように、薬剤運搬トレイ１８６のリセプタクル１９２を受け入れるようにサイズが定められるのが好ましい。下部層１１２を形成するディスク１５６は、残りの構造を保護し、現在使用されている従来技術のブリスターパックよりも薬剤容器１００”を遙かに強固にさせ、損傷に対する耐性をもたらす。
【００７１】
図１Ａ乃至図１Ｄを参照した説明に鑑みて、当業者は、薬剤容器にとって幾つかの望ましい形態が存在するということを認めるであろう。詳細に記したものを除いた残りの用途は、簡単さの故に図１Ａ乃至図１Ｃに示された薬剤容器１００を使用する。薬剤容器１００’（図１Ｄ）及び１００”（図１Ｅ）を、同程度の優れた利点がもたらされる状態で使用することができる。
【００７２】
図１Ｄに示された実施形態と類似した態様で、上部層１０４、中間層１０８及び薬剤運搬トレイ１８６は、下部層１１２から分離して販売され又は分配される一体ユニットとして一緒に取り付けられることができる。そのような構成では、下部層１１２は、典型的には、吸引器ハウジング内に永久的に配置されており、上部層１０４、中間層１０８及び薬剤運搬トレイ１８６により形成された容器が、該下部層を形成するディスク１５６に入れ子式に重ね合わせることができる。
【００７３】
図２Ａは、本発明の好ましい実施形態に従って作られた、薬剤容器１００の１つのブリスターの側断面図を示している。全体として２００で指し示されたブリスターは、上部層１０４、中間層１０８及び下部層１１２により形成される。
【００７４】
上部層１０４は、ブリスター２００を覆う頂部を形成する。上部層１０４の下方には、中間層１０８の開口１５２及び下部層１１２の略三角形状凹部により画成されたリセプタクル１６４が、薬剤封じ込め領域／流れチャンネル２０４を形成する。薬剤封じ込め領域／流れチャンネル２０４の上側は、下部層（破線１１２ａにより表される）の上側表面の下方に延在する、中間層１０８の三角形状突起部１７２により画成される。薬剤封じ込め領域／流れチャンネル２０４の下側は、下部層１１２の三角形凹状壁１６４ａにより画成される。突起部１７２及び壁１６４ａの間に画成されるとき、薬剤封じ込め領域／流れチャンネル２０４は、略屈曲部状に形成されるが、他の形状も同様に可能である。
【００７５】
薬剤封じ込め領域／流れチャンネル２０４に含まれる薬剤は、空気流れ経路がブリスター２００内部に維持されるように、三角形状のリセプタクル１６４の底部で、及び、突起部１７２の最下ポイントより下方に残る傾向がある。直ちに示されるように、薬剤は上部層１０４から十分に下方に維持されており、これにより、上部層のフォイル又はペーパーが突き通されたとき、突き通されたフォイル又はペーパーはリセプタクルの底部にある薬剤と係合すること無く進路を外されて移動される。このように三角形状は、薬剤封じ込め領域２０４の中央部に薬剤を集中させる傾向にあるので、薬剤がフォイル片により捕捉されるようになるというリスクは、かなり減少される。
【００７６】
ここで、図２Ｂ及び２Ｃを参照すると、図２Ａに示されたものと類似したブリスター２００の側断面図が示されている。図２Ｂでは、ランセット２１２は、該ランセットのテーパー形成端部２１２ａが、薬剤容器２００の上部層１０４を突き通すように下方に移動されている。ランセット２１２が下方に駆動されるとき、テーパー形成端部２１２ａは、フォイルを、上部層１０４からリセプタクル１６４を画成する壁１６４ａの上部表面と接触した状態に至らしめる。この突き通された材料１０４ａは、それが、薬剤流れ運搬又は薬剤封じ込め領域／流れチャンネル２０４の薬剤２１６の流れにほとんど干渉を与えない壁１５４ａに（フォイルがその降伏ポイントを超えてせん断され、曲げられることに起因して）残っている。（勿論、薬剤運搬トレイ１８６（図１Ｄ及び図１Ｅ）を使用した実施形態では、該フォイルは、下部層に対して直接というよりもリセプタクル１９２の壁に対して押圧されている。本明細書中で使用されているように、下部層に対してフォイルを押圧するという説明は、薬剤トレイが備え付けられるとき薬剤トレイのリセプタクルに対してフォイルを押圧することを含むという意味に解釈されるべきである。）
図２Ｃでは、ランセット２１２は、薬剤容器の同じ側で２つの孔２２０を残すようにブリスター２０から引き出されるが、該２つの孔は薬剤封じ込め領域／流れチャンネル２０４の両端部にある。２つの孔２２０の間に延在しているものは、屈曲部形状のチャンネルである。該チャンネルは、上部層１０４、中間層１０８の開口１５２のうちの一つ１５２ａ、下部層１１２により画成されたリセプタクル１６４を通り、他の開口１５２ｂに戻り通って、ブリスター２００から出て行く流れ経路を提供する。
【００７７】
矢印２２４により表された空気流れチャンネルは、ランセット２１２のテーパー形成端部２１２ａにより更に画成される。ランセット２１２がブリスターから引き出されるとき、テーパー形成端部２１２は、ブリスター内に空気流れを導いて該ブリスターから出てきた空気流れを差し向けることを援助する。
【００７８】
本発明によれば、中間層１０８の突起部１７２及び下部層１１２のリセプタクル１６４を画成する壁１６４ａにより形成された、屈曲部形状の構成は、空気が薬剤封じ込め領域／流れチャンネル２０４を通って流れるとき薬剤の流れ運搬をかなり改善する。空気流れがブリスターの両側の孔を通って移動しブリスターのより側面部分に配置された薬剤を乗せて流れることができない従来の構成とは異なり、本形態の空気流れは、薬剤流れ運搬を最大にする湾曲した経路に沿って薬剤２１６に衝撃を与える。かくして、図２Ｃに示された構成は、より着実な薬剤配給を提供する。
【００７９】
ここで、図２Ｄを参照すると、本発明の別の態様に従って作られたブリスター２００’が示されている。ブリスター２００’は、上部層１０４、中間層１０８及び下部層１１２を備えるのが好ましい。しかし、図１Ａ乃至図２Ｃで説明した構成とは異なり、ブリスター２００’は、薬剤リセプタクル１６４内に延在する突起部１７２を持っていない。かくして、三角形状の薬剤封じ込め領域／流れチャンネル２０４’は、壁１６４ａの上部表面及び上部層１０４の下部表面により画成される（勿論、所望ならば中間層を省略することができる）。
【００８０】
上部層１０４が突き通されたとき、三角形状の流れチャンネル２０４’が開放され、空気が矢印２２８’により実証されるようにブリスター２００’を通って流れることができる。三角形状の空気流れチャンネル２０４’は、一般に、突起部（図２Ａ乃至図２Ｃ）により形成された屈曲部形状の薬剤封じ込め領域／流れチャンネル２０４よりも、薬剤の流れ運搬において効率が低下される。空気流れが同じ度合いにまで薬剤２１６に対して集中されないからである。しかし、三角形状の空気流れチャンネル２０４’は、ブリスターが該ブリスターの頂部及び底部を通して突き通される従来のブリスター構成を超える顕著な改善点をなおも持っている。
【００８１】
ここで、図３Ａ及び図３Ｂを参照すると、本発明の原理に従って作られたランセット機構２１２の分解図が示されている。薬剤容器１００を突き通すため、ランセット２１２は、好ましくは、リセプタクル１６４（図１Ｂ乃至図２Ｄ）を画成する壁１６４ａの角度に類似した角度でテーパー形成される一対のテーパー形成端部２１２ａを有する。１つ又はそれ以上のスプリング２３０は、ブリスター２００から離れた状態にランセット２１２を偏倚させるように設けられる。
【００８２】
ランセット２１２を作動させるため、ランセットボディ２１２ｂの頂部におけるボタン２３４が押し下げられる。ボタン２３４は、取り付け用のフランジ２３８と嵌合する別個の部品として示されたが、ランセット２１２の他の部分と一体に成形されてもよい。
【００８３】
図３Ｂは、ランセット機構２１２の下面分解図を示している。図３Ｂに示されたように、ボタン２３４は、ランセットボディ２１２ｂの頂端部に配置されたフランジ（図３Ａの２３８）を受け入れるように中空であるのが好ましい。更には、一対の凹部２４０が、スプリング２３０の上端部２３０ａを受け入れるようにランセットボディ２１２ｂの頂部に向かって形成されるのが好ましい。
【００８４】
ここで、図４を参照すると、本発明の原理に従って作られた、全体として２５０で指し示された密封部材の斜視図が示されている。密封部材２５０は、薬剤封じ込め領域／流れチャンネル２０４（図２Ａ乃至図２Ｄ）を通る空気流れを改善するため開放されるべきブリスター２００の上方の配置用に構成される。密封部材２５０は、典型的には、例えばシリコンゴム等の半弾性材料の長方形状部品から作られる。
【００８５】
密封部材２５０は、第１の開口２５４ａ及び第２の開口２５４ｂを備える。第１及び第２の開口２５４ａ及び２５４ｂは、間隔を隔てて配置され、ブリスター２００の薬剤封じ込め領域／流れチャンネル２０４のいずれかの端部に配置された孔２２０（図２Ｃ）と整列するように形成されている。かくして、開口２５４ａ及び２５４ｂは、薬剤封じ込め領域／流れチャンネル２０４により形成された空気流れチャンネルを延長させ、漏れを制限する。
【００８６】
密封部材２５０の開口２５４ａ及び２５４ｂは、リセプタクル１６４を形成する壁１６４ａ（図１Ａ乃至図１Ｃ）と整列するように形成された、斜めに切られた、即ち角度を付けられた外側側壁２５８ａ及び２５８ｂが備え付けられるのが好ましい。両側壁２６２ａ及び２６２ｂは、外側側壁に平行であり得る。
【００８７】
図４Ａに示されたように、密封部材２５０の角度を付けられた側壁２５８ａ及び２５８ｂは、開口２５４ａから、薬剤封じ込め領域／流れチャンネル２０４を通って、及び、開口２５４ｂに至る略連続的な壁を形成するように、リセプタクル１６４を形成する壁１６４ａと整列して配置される。かくして、角度を付けられた開口２５４ａ及び２５４ｂは、ブリスター２００の薬剤封じ込め領域／流れチャンネル２０４内に円滑に空気流れを導く。
【００８８】
ここで、図５Ａを参照すると、本発明に従って作られた、全体として３００で示されたハウジングの断面図が示されている。該ハウジングは、上部の空気流れ部３０４、及び、下部の薬剤受け入れ部３０８を備えており、これらは、ハウジング３００の端部３００ａに配置されたヒンジ３１０により互いに取り付けられるのが好ましい。
【００８９】
ヒンジ３１０は、上側部分３０４から下側に延在する円柱カラー３１４をさらすように下側部分３０８の壁３１２が上側部分３０４から離れるように枢動することを可能にする。円柱カラー３１４は、薬剤容器が図５Ａに示されたようにカラーに取り付けられ且つ該カラーの回りを回転することができるように、薬剤容器１００の開口１６０とほぼ同じサイズである。
【００９０】
一旦、薬剤容器１００が円柱カラー３１４に取り付けられると、上側部分３０４から下側に延在する掛け止め３１６が壁に沿った溝３１８と係合するまで、壁３１２が上側部分３０４に向かって後方枢動される。一旦、掛け止め３１６が溝３１８と係合すると、壁３１２は閉位置に保持され、これによって、下側部分３０８内の薬剤容器１００を保持する。
【００９１】
上側空気流れ部分３０４は、上側部分の第１の末端部３２０ａから第２の末端部３０４ｂまで延在する薬剤空気流れチャンネル３２０を画成する。格子３２４は、外部塊のチャンネル内への入り込みを制限するため薬剤空気流れチャンネル３２０の第１の端部３０２ａに配置される。格子３２４から、チャンネル３２０は、薬剤容器１００を包含する第２の下側部分３０８に向かって下側にテーパー形成されている。ランセット２１２は、テーパー形成端部２１２ａが下側部分３０８に配置されたブリスター２００の上方に配置されるように、且つ、テーパー形成端部が、チャンネル３２０のテーパー形成部分を画成する壁３２８と整列するように、チャンネル３２０の末端部３２０ａに隣接して配置される。かくして、テーパー形成端部２１２ａは、ランセット２１２が静止位置にあるとき、下側部分３０８のブリスター２０に空気流れを差し向けることを援助する。
【００９２】
チャンネル３２０の下側は、第１の上側部分３０４の下側壁３３２、及び、密封部材２５０の開口２５４ａの角度を付けられた側壁２５８ａにより形成される。図５Ａに示されたように、下側壁３３２は、直線的に延在し、それから、壁３２８及びランセット２１２のテーパー形成端部２１２ａに平行に下側に角度をなして延在する。かくして、空気流れチャンネル３２０の先頭部分３２０ａは、それがブリスター２００に到達したとき狭まり、これにより空気流れの速度を増加させる。
【００９３】
空気流れチャンネル３２０ａの先頭部分は、薬剤容器１００の上部層１０４で終わっている。上部層１０４がランセット２１２により刺し通されたとき、チャンネル３２０を通る空気流れが防止される。一旦ランセット２１２が刺し通したときのチャンネル３２０を通る空気流れは、図５Ｂ及び図５Ｃを参照して以下に詳細に説明される。
【００９４】
空気流れチャンネル３２０は、ブリスター２００の反対側で上側部分３０４を通って連続的に延在する。チャンネル３２０は、密封部材２５０の開口２５４ｂから連続的に延在する。チャンネル３２０はブリスター２００から基部に近く延在するので、それは角度をなして上方に延在する。チャンネル３２０は、ランセット２１２のテーパー形成端部２１２ａにより及びそれが水平配位に配置されるまで次第に湾曲する壁３４０により、その上側部に画成される。
【００９５】
チャンネル３２０の下側部は、密封部材２５０の角度を付けられた側壁２５８ｂ及び角度をなした末端部を有し及び水平に延在する壁３４４によ
り形成される。壁３４４は、円柱状カラー３１４及び掛け止め３１６用のベースを形成することもできる。
【００９６】
壁３４０及び３４４の部分は、その末端部３２０ｂが狭め領域の前段にある先頭部分と略同じ断面積を有するチャンネルを形成する。遠位置の基端部３２０ｃでは、チャンネル３２０は、ユーザーが吸引することのできるマウスピースを形成する略円柱壁３４４ｂにより画成される。
【００９７】
空気流れチャンネル３２０に沿って配置されているものは、回転可能な空気流れ制御部材３５０である。図６Ａ乃至６Ｃで詳細に説明されるように、空気流れ制御部材３５０は、薬剤容器１００に含まれる薬剤２１６の肺の深部沈着を改善するため、空気流れチャンネル３２０を通る空気流れを選択的に制限する。
【００９８】
図５Ａは、ハウジング３００の機能形成を援助する幾つかの他の構成も示している。ハウジング３００は、上側壁３６０を備えている。上側壁３６０は、壁３２８及び３４０を適所に保持し、ランセット２１２を適切に配置することを援助する。上側壁３６０は、回転可能な空気流れ制御部材３５０のポスト３６８を受け入れる開口３６４も有する。同様の開口３７２も壁３４０に形成され、カラー３７６は壁３４０及び３６０の間にポスト３６８の回りに配置することができる。ハウジング３００は、ランセット２１２のテーパー形成端部２１２ａの間に適合する支持構造部３８０と、上側壁３６０の上方に配置されたキャップ３８４と、を備える。キャップ３８４は、ほこりがポスト３６８の回りに入らないようにし、主要空気空洞部を密封し、後述される空気ベーン４３０のためのバイアスを形成する螺旋トーションスプリングを含んでいる。
【００９９】
ここで、図５Ｂを参照すると、図５Ａのものと類似したハウジング３００の側断面図が示されている。図５Ｂにおける主要な相違点は、ランセットの反対側端部上のテーパー形成端部２１２ａがブリスター２０の上部層（図５Ａ）を通り、薬剤封じ込め領域／流れチャンネル２０４内へと進入されるように、ランセット２１２のボタン２３４が下方に押圧されたということである。ランセット２１２の移動範囲は、ランセットボディ２１２ｂのフランジ２１２ｃと、上側壁３６０、壁３２８及び３４０と、の間の相互作用によって、並びに、下部層１１２の上側表面によって制限される。
【０１００】
ランセット２１２のテーパー形成端部２１２ａが薬剤封じ込め領域／流れチャンネル２０４内に下方に延在するので、テーパー形成端部は、上部層をせん断し及び／又は突き通し、上部層１０４のせん断部分を、リセプタクル１６４を画成する壁１６４ａに対して押し込む。かくして、従来技術とは異なり、上部層１０４のせん断部分は、薬剤封じ込め領域／流れチャンネル２０４を通る空気流を事実上妨害せず、薬剤流れ運搬に干渉しない。
【０１０１】
薬剤容器１００は、（従来技術に共通した可撓性フォイルとは反対に）剛性又は半剛性である底部層１２が形成されるのが好ましい。この剛性は、薬剤容器１００を支持することを援助する。更には、一対の支持壁３９０は、ハウジング３００の下側部分３０８の壁３１２から上方に延在するのが好ましい。支持壁３９０は、ランセット２１２の作動の間に圧縮される薬剤封じ込め領域／流れチャンネル２０４に対する追加の支持保証を提供する。
【０１０２】
図５Ｃは、図５Ａ及び図５Ｂのものと類似したハウジング３００の側断面図を示している。図５Ｃでは、ランセット２１２は、その元の位置に戻された。これは、図３Ｂに示されたが、図示された断面図では見ることのできないスプリング２３０により達成される。
【０１０３】
ランセット２１２がその最初の位置に戻された場合には、ほとんど末端側にあるテーパー形成端部２１２ａは、空気流れチャンネル３２０の先頭部分３２０ａのための上側境界を画成するように壁３２８と整列され、ほとんど基端側にあるテーパー形成端部２１２ａは、空気流れチャンネルの中間部分を形成するため壁３４０と整列されている。上部層１０４は突き通され、リセプタクル１６４を形成する壁１６４ａに対して押されるので、ブリスター２００の薬剤封じ込め領域／流れチャンネル２０４を通る空気流れは、上部層の切断部分から事実上何の干渉も受けないことを可能にされる。
【０１０４】
空気流れが密封部材の第１の開口２５４ａを通り、薬剤封じ込め領域／流れチャンネル２０４を通過して、密封部材の第２の開口２５４ｂから出るとき、空気は、矢印４００により実証されるように、屈曲部形状の経路に従って流れる。この屈曲部形状の経路は、空気をリセプタクル１６４の底部で薬剤２１６と係合するように押しやり、薬剤のほとんど全てが空気流れに乗って運ばれるようにする。
【０１０５】
図５Ｃに示されるように、ハウジング３００の基端部３００ｂで円柱壁３４４ｂにより形成されたマウスピースを通して吸引することは、空気流れが空気流れチャンネル３２０の先頭部分３２０ａ及び薬剤封じ込め領域／流れチャンネル２０４を通過することを瞬間的には引き起こさない。これは、壁３４４から上方に延在するペグ４０４の回りを枢動する空気流れ制御部材３５０に起因している。ユーザーが円柱壁３４４により形成されたマウスピースを介して吸引するとき、空気流れ制御部材３５０は、初期には、空気流れチャンネルの先頭部分３２０ａ及び薬剤封じ込め領域／流れチャンネル２０４を介して空気が引き出されることを防止する。しかし、図６Ａ乃至図６Ｃを参照して詳細に説明されるように、ユーザーによる吸引は、空気流れ包含ベーン３５０を経路から外れて枢動させ、これにより、空気流れが空気流れチャンネル３２０を通ることを可能にし、詳細には、薬剤封じ込め領域／流れチャンネル２０４を通ることを可能にする。
【０１０６】
空気流れ制御部材３５０が経路から外れて移動する間に空気流れチャンネル３２０を通路する空気流れを遅延させることにより、空気に乗って運ばれる薬剤の流れが少しの間遅延される。このことは、ユーザーが、薬剤の分配の前に所定の空気流れ率を得ることを可能にし、これにより、薬剤の肺深部への沈着を向上させる。
【０１０７】
ここで、図６Ａを参照すると、本発明の原理に係る、ハウジング３００の内部構成部品の平面図が示されている。前述したように、ハウジング３００は、末端部３００ａ（即ち、患者から離れて配置されている方の端部）と、患者が吸引するところの基端部３００ｂと、を有する。末端部３００ａに配置されているのは、フィルター即ち格子３２４である。格子３２４を通過した空気は、２つある経路のうち一つに従って流れる。
【０１０８】
最初に、空気は、矢印４２０により示されるように１次空気流れ経路に従ってハウジング３００の一方の側部に向かって回り込む。空気が１次空気流れ経路４２０に従って流れるとき、それは１次空気ベーン４３０と係合する。１次空気ベーン４３０は、ポスト３６８に取り付けられたカラー３７６に取り付けられるのが好ましい。更に詳細に後述されるように、１次空気流れ経路４２０を通路する空気流れは、図６Ａに示された初期位置と、図６Ｃに示された最終位置との間で１次空気ベーン４３０を移動させる。この最終位置では、１次空気ベーンが、開口４３８が形成された壁４３４と係合する。好ましくは、例えばＯリング等の密封部材４４２が、後述する目的のために開口の回りに配置されるのがよい。
【０１０９】
格子３２４を通って流れる空気は、図５Ａ乃至図５Ｃを参照して示される空気流れチャンネル３２０により画成される、２次流れ経路４５０に従って流れることもできる。空気流れチャンネル３２０に沿って配置されているものは、一対のスプリング２３０により静止位置に偏倚されているランセット２１２である。ランセット２１２の下方に配置されているものは密封部材２５０及びブリスター２００である。密封部材２５０内の開口２５４ａ及び２５４ｂは、テーパー形成端部（図６Ａ乃至図６Ｃでは図示せず）と合致している。
【０１１０】
密封部材２５０中の開口２５４ｂから、チャンネル３２０は、それが空気流れ制御部材３５０により遮られるところまで略直線的に延在する。空気流れ制御部材３５０の後段では、空気流れチャンネル３２０の中間部部３２０ｂが、曲がりくねった又はジグザグ経路に従う。これは、凝塊分解チャンネルを形成する。凝塊分解チャンネル３２０ｂは、存在し得る薬剤の任意の大きい凝塊を分解するように構成される。それらのより大きな重量の故に、そのような凝塊が、空気流れ中で突然に回動することは、あまりできない。かくして、空気流れが突然回動するとき、矢印４５０により表されたように、大きな凝塊は、それらが、凝塊分解チャンネル３２０ｂを画成する壁３２０ｄに強制的に衝突するまで、前方に移動し続ける。衝突の力は、通常、凝塊を分解させる。
【０１１１】
凝塊分解チャンネル３２０ｂから出た薬剤はマウスピースフィルター４６０を通過する。マウスピースフィルター４６０は、任意の凝塊、又は、凝塊分解チャンネル３２０ｂの格子３２４を通過し得た外部塊を停止させる。
【０１１２】
図６Ａに示されたように、空気流れ制御部材３５０が閉じた空気流れ制御バルブ４７０を形成するため、ほとんどの空気流れは２次空気流れ経路４５０を通過することはない。かくして、ユーザーが、壁３４４ｂにより形成されたマウスピースを介して最初に吸引するとき、ハウジングを通る空気流れは１次空気流れ経路４２０に従う。
【０１１３】
空気流れが１次空気流れ経路４２０に従うとき、それは、１次空気ベーン４３０を壁４３４に向かって移動させる。１次空気ベーンの弧状経路に沿って延在する弧状壁４７４の故に、比較的少量の空気のみが１次空気ベーン４３０の回りを流れることができる。かくして、１次空気ベーン４３０を動かすため強力な吸引は必要とされない。
【０１１４】
図６Ｂでは、１次空気ベーン４３０は、図６Ａに示された初期位置から壁４３４までの工程の約半分（４５度）まで移動された。１次空気ベーン４３０の４５度の移動は、空気流れチャンネル３２０内に空気流れ制御バルブ４７０を形成する空気流れ制御部材３５０において類似の移動を引き起こす。空気流れ制御部材３５０はチャンネル４８０へと退避する。かくして、１次空気ベーン４３０が、その初期位置と最終位置との間の半工程ポイントにあるときまでは、非常に少量の空気が、空気流れチャンネル３２０を通って引き出され得る。
【０１１５】
ユーザーが壁３４４ｂにより形成されたマウスピースを介して吸引し続けるとき、１次空気ベーン４３０は、図６Ｃに示されたその最終的な閉位置まで枢動する。最終的な閉位置では、１次空気ベーン４３０は壁４３４内の開口４３８の回りに配置された密封部材４４２と係合し、空気流れが更に開口を通過することを防止する。かくして、一旦、１次空気ベーン４３０が最終位置に至ると、１次空気流れ経路４２０を通過する空気は終了される。
【０１１６】
１次空気ベーン４３０の最終的な閉位置への移動は、空気制御部材３５０をチャンネル４８０へと完全に移動させ、これによって、空気制御バルブ４７０を完全に開放する。１次空気流れ経路４２０が完全に閉鎖され、２次空気経路５０が完全に開放された状態では、全ての更なる吸引空気が空気流れチャンネル３２０を通って移動する。空気流れは、ブリスター２００内の薬剤２１６を流れに乗せ、それをユーザーまで運搬する。初期位置（図６Ａ）から最終位置（図６Ｃ）までの１次空気ベーン４３０の移動のために必要とされる時間の故に、ユーザーは、所定の吸引率を達成することができ、空気流れチャンネル３２０を通る空気流れが薬剤をユーザーの肺まで運ぶ前に、彼又は彼女の肺は部分的に膨張される。これは、薬剤の肺への深い浸透を増大させ、喘息等を患っている患者に対する該薬剤の効き目を向上させる。
【０１１７】
薬剤解放前に肺の部分的な膨張を可能にすることに加えて、２次空気流れ経路４５０（即ち空気流れチャンネル３２０）を通して生じた空気流れにおける瞬間的な遅延は、該空気流れの薬剤との最初の係合前に空気流れ率も増大させる。空気流れの増大した速度は、薬剤封じ込め領域／流れチャンネル２０４における薬剤を、空気がそこを通って流れるときに流れに乗せて運搬すること、並びに、粒子間相互作用及び衝突表面に対する衝突作用によって、より大きな粒子を分解することを更に援助する。
【０１１８】
一旦、ユーザーが吸引を止めると、１次空気ベーン４３０は最初の位置に戻る。これは、１次空気ベーン４３０を初期位置にスプリング偏倚することによって、又は、１次空気ベーン又は空気流れ制御部材３５０の重量が２つの構成部材を図６Ａに示された位置にまで戻らせるように単にハウジングを構成することによって、実施することができる。
【０１１９】
ここで、図７Ａを参照すると、全体として５００で指し示されたランセットと、全体として５０４で指し示されたブリスターとの断面図が示されている。ランセット５００は、互いに略平行に延在する２つのプロング５１２を有するボディ５０８を備える。プロング５１２の底部には一対のテーパー形成端部５１２ａが設けられている。テーパー形成端部５１２ａは、各々がランセット５００の長さ方向中心軸線５１４に向かって先細になるように形成されるのが好ましい。
【０１２０】
図３Ａ及び図３Ｂで説明されたランセット２１２のテーパー形成端部２１２ａとは異なり、各々のプロング５１２は、テーパー形成端部５１２ａに隣接して内部に配置されたチャンネル５１６を有する。ランセット５００の通常の配位において、基部に近いプロング５１２ｂは、軸線５１４に向かうとき典型的には約３０度から約４５度までの角度で下方に延在するチャンネル５１６ａを有する。（勿論、チャンネルは、３０度より小さい角度で、或いは、４５度より大きい角度で配置されてもよい。）遠方の端部５１２ｃは、類似の配位で軸線５１４から離れる方に上方及び基部に近い方に（即ちユーザーに向かって）延びていくチャンネル５１６ｂを有する。
【０１２１】
ブリスター２００と同様に、ブリスター５０４は、薬剤５２４が蓄えられているところの薬剤封じ込め領域／流れチャンネル５２０を有する。薬剤封じ込め領域５２０は、典型的にはフォイル又は他の容易に突き通し可能な材料から形成されている上部層５２８により上端際が画成される。薬剤封じ込め領域５２０の底部は、リセプタクル５３８を形成する壁５３４を有する下部層５３２により画成される。
【０１２２】
中間層５４２が上部層５２８及び下部層５３２の間に配置されてもよい。中間層１０８と同様に、中間層５４２は、実質的に屈曲部形状の薬剤封じ込め領域／流れチャンネル５２０を形成するため、リセプタクル５３８内に配置された突起部５４６を備えるのが好ましい。
【０１２３】
ブリスター５０４は、ブリスター２００とは異なっている。ブリスター２００が断面で略三角形状であるのに対し、ブリスター５０４は台形状である。他の構成も使用することができる。
【０１２４】
図７Ｂは、ランセット５０が第１の層５２８から該層を通って第２の位置にまで進められた状態で、該ランセット５０及びブリスター５０４の側断面図を示している。第２の位置では、ランセット５００のテーパー形成端部５１２ａが壁５３４に対して配置されている。理想的には、チャンネル５１６を画成する底部を形成するプロング５１２の一部分が、薬剤５２４を保持する壁５３４の一部分の上側表面と整列した状態で配置されているのがよい。
【０１２５】
ランセット５００が図７Ｂに示された第２の位置に配置された状態では、ランセット５００のチャンネル５１６及び薬剤封じ込め領域／流れチャンネル５２０は、矢印５６０により表された空気流れチャンネルの一部分を形成する。典型的には、ランセット５００は、チャンネル５１６が空気流れチャンネル３２０の先頭部分３２０ａの一部分を形成するようにハウジング（例えばハウジング３００等）内に配置される。その目的のために、ランセット５００が第２の下側位置にあるとき、チャンネル５１６ａの頂部を画成するプロング５１２の一部分は、空気流れチャンネルの先頭部分（例えば先頭部分３２０ａ）の頂部を画成する壁（例えば壁３２８）と整列している。同様に、チャンネル５１６ｂは、それがユーザーに向かってブリスター５０４から延びていくとき、チャンネル３２０と整列する。
【０１２６】
ユーザーによる吸引は、空気がハウジング（例えばハウジング３００等）の遠端部分を通り、チャンネル５１６ａを経て薬剤封じ込め領域／流れチャンネル５２０へと流れることを引き起こす。空気は薬剤５２４と衝突し、それを乗せて運搬する。流れに乗った薬剤５２４は、ランセット５００内の第２のチャンネル５１６ｂから出て、空気流れチャンネル（例えばチャンネル３２０）の残りの部分を通って運ばれる。
【０１２７】
図７Ｂに示されるように、ランセット５００は、ユーザーによる吸引前にその元の位置に戻るというより第２の静止位置に残っている。これは、多数の電子機器及び他の装置に共通したスプリングキャッチを提供することにより容易に達成することができる。圧力がランセット５００の頂部に印加されたとき、該ランセットは、図７Ｂに示された位置へと下方に移動し、第２の位置に保持される。圧力がランセット５００に再び印加されたとき、該ランセットは解放され、その元に位置にまで戻ることを可能にされる。当業者ならば、そのような多数のスプリング係合機構を知っているであろう。
【０１２８】
上記実施形態は、現時点の開示に鑑みると、三角形状又は台形状のいずれかであるリセプタクル１６４及び５３８を示しているが、当業者ならば他の断面形状も使用することができることを認めるであろう。かくして、リセプタクル１６４及び５３８は、半円状、半楕円状等の断面形状を持つことができる。
【０１２９】
ここで、図８Ａを参照すると、本発明の原理に従って作られた、単一のブリスター６００が示されている。ブリスター６００は、例えばフォイル又はプラスチック等の容易に突き通し可能又はせん断可能である材料から形成された上部層６０４を備えている。上部層６０４は、中間層６０８及び下部層６１２により支持されている。中間層及び下部層は、半剛性又は剛性プラスチック若しくは類似の材料から作られるのが好ましい。所望ならば、中間層６０８を省略することもできる。
【０１３０】
前述した実施形態と同様に、ブリスター６００は、下部層６１２を形成する壁６１６により形成されたリセプタクルを備えている。該リセプタクルは、６２０で指し示された、略長方形状の開口を有し、三角形、半円、台形又は半楕円の形状で下方に延在するのが好ましい。例えば１７２及び５４６（図１Ａ及び図７Ｂ）で示されたもののように突起部が使用される場合、該突起部はリセプタクルのものと類似した断面構成を持つことが好ましい。かくして、リセプタクルが略三角形であるとき、突起部は略三角形であるのが好ましい。突起部の底部表面を壁６１６の上側表面と略平行に延在させることによって、滑らかな空気流れ経路がブリスター６００を通して形成される。（勿論、突起部及び下側部分の相互の形状及び構成に対する変更を、乱流及び薬剤流れ運搬を強化するため使用してもよい。）
図８Ａに示されるように、単一のブリスター６００が全体として６２４で指し示された薬剤容器を形成する。当業者ならば、上記したハウジング３００が単一ブリスター６００を保持するため容易に変更され得ることを認めるであろう。例えば、壁３１２（図５Ａ乃至図５Ｃを見よ）は、それがランセット２１２の下方に配置された単一のブリスター６００を単に受け入れるように短くすることができる。
【０１３１】
代替例では、ハウジング３００（図５Ａ乃至図５Ｃ）が、例えば図８Ｂで６３０で指し示されたもの等のブリスターを受け入れるように変更してもよく、これらのブリスターは直線的な即ち直線に沿って配列されたアレイ６４０に配置されている。各々が使用された後、アレイ６４０は、全てのブリスターが使用されるまで１つの位置毎に単に前進される。
【０１３２】
ブリスター６３０は、他の仕方では、上記した実施形態に従って形成されており、可撓性プラスチック若しくはフォイルから作られた容易に突き通し可能な若しくはせん断可能な上部層６４４と、半剛性若しくは剛性の下部層６４８と、を少なくとも備える。半剛性によって、下部層及びその中に形成されたリセプタクルは、通常の使用の間にその形状を維持する。これは、従来技術のフォイルとリセプタクルが容易に変形するおそれのある従来技術の可撓性プラスチック薬剤容器とは対照的である。
【０１３３】
本文中に開示された薬剤容器は、従来技術を超える多数の利点を提供する。例えば、剛性又は半剛性の下部層は、薬剤を所望の位置に維持し、薬剤容器をより耐久性のあるものとする。両端部にある両方の孔をブリスターの同じ側から出させることにより、ハウジングが傾けられた場合に薬剤を損失するリスクが減少される。同様に、突き通された後でさえ薬剤を薬剤容器から落とさないことが、多数回量の服用を防止する。加えて、特にブリスターの薬剤封じ込め領域／流れチャンネル薬剤を用いて、改善された流れ運搬を達成することができる。更には、従来技術の形態における上部層及び下部層の両方を通して突き通すことよりも、上部層のみを突き通すことの方が容易である。
【０１３４】
かくして、「同じ側の空気流れ入口及び出口並びにその方法」を用いて「改善された薬剤容器」が開示され、従来技術における複数の欠点を解決した。当業者ならば、本明細書で開示された本発明の実施形態に、本発明の範囲及び精神から逸脱することなく多数の変更をなし得ることを認めよう。請求の範囲はそのような変更を網羅するものと意図されている。
【図面の簡単な説明】
【図１】  図１Ａは、本発明の原理に従って作られた、上部層、中間層及び下部層を含む薬剤容器の上面分解図を示す。
図１Ｂは、図１Ａの薬剤容器の上部層、中間層及び下部層の下面分解図を示す。
図１Ｃは、図１Ａ及び図１Ｂに示された下部層の上面図を示す。
図１Ｄは、本発明の原理に従って作られた薬剤容器の代替実施形態の分解図を示す。
図１Ｅは、本発明の原理に従って作られた薬剤容器の更に別の代替実施形態の分解図を示す。
【図２】  図２Ａは、本発明の好ましい実施形態に従って作られた薬剤容器の１つのブリスターの側断面図を示す。
図２Ｂは、図２Ａに類似した側断面図であって、ランセットがブリスターの上部層を突き通している状態を示す。
図２Ｃは、図２Ａ及び図２Ｂに示されたものと類似した側断面図であって、ランセットがブリスターから取り外され、該ブリスターの直ぐ上方に配置された状態を示す。
図２Ｄは、中間層が省略された、本発明の別の実施形態の側断面図を示す。
【図３】  図３Ａは、本発明の原理に従って作られたランセット機構の分解図を示す。
図３Ｂは、図３Ａのランセット機構の底部分解図を示す。
【図４】  図４は、本発明の原理に従って形成された密封部材の斜視図を示す。
図４Ａは、本発明の原理に従って互いに隣接して配置されたブリスター及び密封部材の側断面図を示す。
【図５】  図５Ａは、薬剤容器を収容するため本発明に従って形成されたハウジングの断面図を示し、該ハウジングはランセットが薬剤容器を突き通す前に静止位置にあるように構成される。
図５Ｂは、図５Ａと類似したハウジングの側断面図を示しているが、ランセットが薬剤容器の上側表面を突き通すように前進されている状態を示す。
図５Ｃは、図５Ａ及び５Ｂと類似したハウジングの側断面図であり、ランセットが、薬剤容器のブリスターを突き通した後に静止位置に引き戻された状態を示す。
【図６】  図６Ａは、１次及び２次の空気流れチャンネルを含むハウジングの幾つかの内部構成部品の平面図であり、該ハウジングの構成部品が初期の静止状態にある場合を示す。
図６Ｂは、図６Ａと類似したハウジングの平面図であって、１次及び２次の空気流れチャンネルの両方を通る空気流れが部分的に可能とされる中間形態に該ハウジングの構成部品があることを示す。
図６Ｃは、空気流れが独占的に２次空気流れチャンネルを通過する最終位置にある、図６Ａ及び図６Ｂに類似したハウジングの平面図を示す。
【図７】  図７Ａは、ランセットが薬剤容器を突き通す前に静止位置にある状態にある、ブリスター及びランセット構成の代替実施形態の断面図を示す。
図７Ｂは、ランセットが薬剤容器の上側表面を突き通すように進められた状態にある図７Ａのブリスター及びランセット構成の側断面図を示す。
【図８】  図８Ａは、本発明に従って作られたブリスターの上面図を示す。
図８Ｂは、本発明に係る、ブリスターの直線アレイの上面図を示す。
【図１Ａ】
0004754758.tif 000002
【図１Ｂ】
0004754758.tif 000003
【図１Ｃ】
0004754758.tif 000004
【図１Ｄ】
0004754758.tif 000005
【図１Ｅ】
0004754758.tif 000006
【図２Ａ】
0004754758.tif 000007
【図２Ｂ】
0004754758.tif 000008
【図２Ｃ】
0004754758.tif 000009
【図２Ｄ】
0004754758.tif 000010
【図３Ａ】
0004754758.tif 000011
【図３Ｂ】
0004754758.tif 000012
【図４】
0004754758.tif 000013
【図４Ａ】
0004754758.tif 000014
【図５Ａ】
0004754758.tif 000015
【図５Ｂ】
0004754758.tif 000016
【図５Ｃ】
0004754758.tif 000017
【図６Ａ】
0004754758.tif 000018
【図６Ｂ】
0004754758.tif 000019
【図６Ｃ】
0004754758.tif 000020
【図７Ａ】
0004754758.tif 000021
【図７Ｂ】
0004754758.tif 000022
【図８Ａ】
0004754758.tif 000023
【図８Ｂ】
0004754758.tif 000024